【事件の表示】
　特許第２９８４６１３号「光学装置」の請求項１ないし４４に係る特許に対する特許異議の申立てについて、次のとおり決定する。
【結　論】
　訂正を認める。
　特許第２９８４６１３号の請求項１ないし３３に係る特許を維持する。
【理　由】
１、手続きの経緯
　本件特許第２９８４６１３号の発明は、平成８年１２月２７日に特許出願され、平成１１年９月２４日にその特許の設定登録がなされ、その後、旭光学工業株式会社より特許異議の申立てがなされ、取消理由通知がなされ、その指定期間内である平成１２年１０月１０日に訂正請求がなされたものである。
　
２、訂正の適否についての判断
（１）訂正の内容  
　
　（特許請求の範囲の欄の訂正）
　
　ア、訂正事項１
　請求項１を次のとおり訂正する。
　「結像光学系の移動と連係してファインダを動作させると共に、前記結像光学系の前記移動後の該移動とは異なる方向への焦点調節動作を行う移動に対して前記ファインダの連係を断つ連係手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有することを特徴とする光学装置。」
　
　イ、訂正事項２
　請求項２を次のとおり訂正する。
　「結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有することを特徴とする光学装置。」
　
　ウ、訂正事項３
　訂正前の請求項１４を削除する
　
　エ、訂正事項４
　訂正前の請求項１５を新たな請求項１４としてを次のとおり訂正する。
　「前記駆動手段は、電動モー夕を有することを特徴とする請求項１〜１３のいずれかに記載の光学装置。」
　
　オ、訂正事項５
　訂正前の請求項１６を新たな請求項１５として次のとおり訂正する。
　「前記光学装置は、前記結像光学系の移動位置を判定するための位置判定手段を有し、前記駆動手段は、前記位置判定手段の判定結果にしたがって前記結像光学系の移動を制御するための制御手段を有することを特徴とする請求項１〜１４のいずれかに記載の光学装置。」
　
　カ、訂正事項６
　訂正前の請求項１７を削除する。
　
　キ、訂正事項７
　訂正前の請求項１８を削除する。
　
　ク、訂正事項８
　訂正前の請求項１９を新たな請求項１６として次のとおり訂正する。
　「前記駆動手段は、撮影動作終了後、前記結像光学系を前記ファインダとの連係を断った状態で前記第１の方向の所定位置に移動させることを特徴とする請求項１〜１５のいずれかに記載の光学装置。」
　
　ケ、訂正事項９
　訂正前の請求項２０を削除する。
　
　コ、訂正事項１０
　訂正前の請求項２１を削除する。
　
　サ、訂正事項１１
　訂正前の請求項２２を新たな請求項１７として次のとおり訂正する。
　「変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる案内手段と、前記結像光学ユニットが前記案内手段の変倍用案内領域及び焦点調節用案内領域に沿って一方向に案内されることに連係してファインダを動作させると共に、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダの連係を断つ連係手段と、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段とを有することを特徴とする光学装置。」
　
　シ、訂正事項１２
　訂正前の請求項２３を新たな請求項１８として次のとおり訂正する。
　「前記連係手段は、前記結像光学ユニットが前記案内手段の変倍用案内領域及び焦点調節用案内領域に沿って一方向に案内されることに連係して前記ファインダを連続的に動作させることを特徴とする請求項１７に記載の光学装置。」
　
　ス、訂正事項１３
　訂正前の請求項２４を新たな請求項１９として次のとおり訂正する。
　「前記連係手段は、前記結像光学ユニットが前記案内手段の変倍用案内領域及び焦点調節用案内領域に沿って一方向に案内されることに連係して前記ファインダを変倍動作させることを特徴とする請求項１７に記載の光学装置。」
　
　セ、訂正事項１４
　訂正前の請求項２５を新たな請求項２０として次のとおり訂正する。
　「前記連係手段は、前記結像光学ユニットが前記案内手段の変倍用案内領域及び焦点調節用案内領域に沿って一方向に案内されることに連係して前記ファインダを連続的に変倍動作させることを特徴とする請求項１７に記載の光学装置。」
　
　ソ、訂正事項１５
　訂正前の請求項２６を新たな請求項２１として次のとおり訂正する。
　「前記連係手段は、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダを変倍動作させない不作動手段を有することを特徴とする請求項１７〜２０のいずれかに記載の光学装置。」
　
　タ、訂正事項１６
　訂正前の請求項２７を新たな請求項２２として次のとおり訂正する。
　「前記不作動手段は、前記ファインダが動作しないように該ファインダを保持する保持手段を有することを特徴とする請求項２１記載の光学装置。」
　
　チ、訂正事項１７
　訂正前の請求項２８を新たな請求項２３として次のとおり訂正する。
　「前記保持装置は、前記ファインダが動かないようにフリクシヨンを与えることを特徴とする請求項２２記載の光学装置。」
　
　ツ、訂正事項１８
　訂正前の請求項２９を削除する。
　
　テ、訂正事項１９
　訂正前の請求項３０を新たな請求項２４として次のとおり訂正する。
　「前記結像光学ユニットが前記案内手段の変倍用案内領域及び焦点調節用案内領域に沿って一方向に案内される際に所望の倍率設定を行う制御手段を有することを特徴とする請求項１７〜２３のいずれかに記載の光学装置。」
　
　ト、訂正事項２０
　訂正前の請求項３１を新たな請求項２５として次のとおり訂正する。
　「前記連係手段は、前記ファインダとの連係を断つための空間形成部を有することを特徴とする請求項１７〜２４のいずれかに記載の光学装置。」
　
　ナ、訂正事項２１
　訂正前の請求項３２を新たな請求項２６として次のとおり訂正する。
　「前記連係手段は、前記結像光学ユニットが前記案内手段の変倍用案内領域及び焦点調節用案内領域に沿って一方向に案内されることに連係して前記ファインダを動作させた後、前記結像光学ユニットが前記案内手段の焦点調節用案内領域に沿って前記一方向とは異なる方向に所定区間案内されることに対して前記ファインダの連係を絶った後、更に前記結像光学ユニットが前記案内手段の焦点調節用案内領域に沿って前記一方向とは異なる方向に案内されることに対して前記ファインダを再び連係させることを特徴とする請求項１７〜２５のいずれかに記載の光学装置。」
　
　ニ、訂正事項２２
　訂正前の請求項３３を削除する。
　
　ヌ、訂正事項２３
　訂正前の請求項３４を新たな請求項２７として次のとおり訂正する。
　「前記駆動手段は、電動モー夕を有することを特徴とする請求項１７〜２６のいずれかに記載の光学装置。」
　
　ネ、訂正事項２４
　訂正前の請求項３５を新たな請求項２８として次のとおり訂正する。
　「前記光学装置は、前記結像光学ユニットの前記案内手段による案内位置を判定するための位置判定手段を有し、前記駆動手段は、前記位置判定手段の判定結果にしたがって前記駆動を制御するための制御手段を有することを特徴とする請求項１７〜２７のいずれかに記載の光学装置。」
　
　ノ、訂正事項２５
　訂正前の請求項３６を削除する。
　
　ハ、訂正事項２６
　訂正前の請求項３７を削除する。
　
　ヒ、訂正事項２７
　訂正前の請求項３８を新たな請求項２９として次のとおり訂正する。
　「前記駆動手段は、撮影動作終了後、前記結像光学ユニットを前記ファインダとの連係を断った状態で前記案内手段の焦点調節用案内領域に沿って前記一方向の所定の位置に駆動することを特徴とする請求項１７〜２８のいずれかに記載の光学装置。」
　
　フ、訂正事項２８
　訂正前の請求項３９を削除する。
　
　ヘ、訂正事項２９
　訂正前の請求項４０を削除する。
　
　ホ、訂正事項３０
　訂正前の請求項４１を新たな請求項３０として次のとおり訂正する。
　「前記光学装置は、カメラであることを特徴とする請求項１７〜２９のいずれかに記載の光学装置。」
　
　マ、訂正事項３１
　訂正前の請求項４２を新たな請求項３１として次のとおり訂正する。
　「前記結像光学ユニットは、撮影レンズであることを特徴とする請求項１７〜３０のいずれかに記載の光学装置。」
　
　ミ、訂正事項３２
　訂正前の請求項４３を新たな請求項３２として次のとおり訂正する。
　「前記光学装置は、前記結像光学ユニットを有することを特徴とする請求項１７〜３１のいずれかに記載の光学装置。」
　
　ム、訂正事項３３
　訂正前の請求項４４を新たな請求項３３として次のとおり訂正する。
　「前記光学装置は、前記ファインダを有することを特徴とする請求項１７〜３２のいずれかに記載の光学装置。」
　
　（発明の詳細な説明の欄の訂正）
　
　メ、訂正事項３４
　訂正前の明細書のパラグラフ【００１６】の欄を以下のとおり訂正する。
　「【課題を解決するための手段】つまり、例えば、結像光学系の移動と連係してファインダを動作させると共に、前記結像光学系の前記移動後の該移動とは異なる方向への焦点調節動作を行う移動に対して前記ファインダの連係を断つ連係手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有する光学装置とするものである。また、結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有する光学装置とするものである。」
　
　モ、訂正事項３５
　訂正前の明細書のパラグラフ【００１７】の欄を以下のとおり訂正する。
　「また、変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる案内手段と、前記結像光学ユニットが前記案内手段の変倍用案内領域及び焦点調節用案内領域に沿って一方向に案内されることに連係してファインダを動作させると共に、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダの連係を断つ連係手段と、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段とを有する光学装置とするものである。」
　
（２）訂正の目的の適否、新規事項の有無及び拡張・変更の存否
　上記訂正事項１ないし３３は、特許請求の範囲の減縮又は明りょうでない記載の釈明に該当し、上記訂正事項３４及び３５は、明りょうでない記載の釈明に該当するものである。そして、該訂正事項１ないし３３と訂正事項３４及び３５は、いずれも新規事項の追加に該当せず、実質的に特許請求の範囲を拡張又は変更するものではない。
　
（３）むすび
　以上のとおりであるから、上記訂正は、特許法第１２０条の４第２項及び同条第３項において準用する特許法第１２６条第２項から第３項までの規定に適合するので、当該訂正を認める。
　
３、特許異議の申立てについての判断
（１）異議申立ての理由の概要
　異議申立人旭光学工業株式会社は、下記の刊行物１ないし４を提出し、本件特許請求の範囲の請求項１ないし４４に係る発明は、該刊行物１ないし４に記載された発明に基づいて当業者が容易に発明をすることができたものであるから、該発明１ないし４４の特許（訂正前の発明１ないし４４の特許）は特許法第２９条第２項の規定に違反してなされたものであり取り消されるべきである旨主張している。
　
（２）本件発明
　特許第２９８４６１３号の請求項１ないし３３に係る発明（以下、それぞれ「本件発明１」ないし「本件発明３３」という。）は、平成１２年１０月１０日付けの訂正明細書の特許請求の範囲の請求項１ないし３３に記載された事項により特定される下記のとおりのものである。
　
　請求項１、請求項２
　　上記２−（１）のア、イに記載のとおりである。
　
　請求項３
　「前記保持手段は、前記ファインダが動かないようにフリクションを与えることを特徴とする請求項２に記載の光学装置。」
　
　請求項４
　「前記光学装置は、カメラであることを特徴とする請求項１〜３のいずれかに記載の光学装置。」
　
　請求項５
　「前記結像光学系は、撮影光学系であることを特徴とする請求項１〜４のいずれかに記載の光学装置。」
　
　請求項６
　「前記光学装置は、前記結像光学系を有することを特徴とする請求項１〜５のいずれかに記載の光学装置。」
　
　請求項７
　「前記結像光学系は、前記ファインダとの連係が行われる状態で移動する際に変倍動作を行うことを特徴とする請求項６に記載の光学装置。」
　
　請求項８
　「前記結像光学系は、前記ファインダとの連係が行われる状態で移動する際に焦点調節動作及び変倍動作を行うことを特徴とする請求項６に記載の光学装置。」
　
　請求項９
　「前記結像光学系は、前記ファインダとの連係が行われる状態で移動する過程で第１の変倍動作、焦点調節動作、第２の変倍動作を順次行うことを特徴とする請求項６に記載の光学装置。」
　
　請求項１０
　「前記光学装置は、前記ファインダを有することを特徴とする請求項１から９のいずれかに記載の光学装置。」
　
　請求項１１
　「前記ファインダは、前記結像光学系と連係して動作する際に倍率の変更を行うことを特徴とする請求項１０に記載の光学装置。」
　
　請求項１２
　「前記ファインダは、前記結像光学系と連係して動作する際に連続的に倍率の変更を行うことを特徴とする請求項１０に記載の光学装置。」
　
　請求項１３
　「前記連係手段は、前記結像光学系が前記ファインダとの連係を断つ方向に所定区間移動した後に更に前記結像光学系が同方向に移動することにより前記結像光学系の移動に前記ファインダを連係させることを特徴とする請求項１〜１２のいずれかに記載の光学装置。」
　
　請求項１４、請求項１５
　　上記２−（１）のエ、オに記載のとおりである。
　
　請求項１６
　　上記２−（１）のクに記載のとおりである。
　
　請求項１７ないし請求項２３
　　上記２−（１）のサないしチに記載のとおりである。
　
　請求項２４
　　上記２−（１）のテに記載のとおりである。
　
　請求項２５、請求項２６
　　上記２−（１）のト、ナに記載のとおりである。
　
　請求項２７、請求項２８
　　上記２−（１）のヌ、ネに記載のとおりである。
　
　請求項２９
　　上記２−（１）のヒに記載のとおりである。
　
　請求項３０ないし請求項３３は、
　　上記２−（１）のホないしムに記載のとおりである。
　
（３）引用刊行物
　
　刊行物１　特開平　５−２４１２２２号公報
　刊行物２　特開平　５−２４９３６２号公報
　刊行物３　特公平　７−　　３５３７号公報
　刊行物４　特開昭６１−２５９２３７号公報
　
（４）各刊行物に記載された発明
　
　刊行物１には、
「第１モータにより第１、第２撮影レンズを、第２モータにより第２撮影レンズを各々移動させてズーミングした後、第１モータにより第１、第２撮影レンズを共に移動させてフォーカシングする構成のズームレンズカメラにおいて、撮影レンズとは別の複数のレンズからなる光学系を備えたファインダと、このファインダの光学系を第１モータによって連動して変位させる連動機構とを設け、この連動機構が、ズーミングされた撮影レンズの焦点距離に応じてファインダ光学系の像倍率を変化させ、フォーカシングによる撮影レンズの移動ではその像倍率を変化させない構成となっている」（公報、第２頁特許請求の範囲の請求項１）。
「本発明は上記したようなズームレンズを備えるカメラにおいて、撮影レンズとは別構成としたファインダ光学系の像倍率をズーミングに合わせて変化させるズーミングカメラを開発する」（公報、第２頁右欄第４７行〜５０行）。
「ズーム連動板４２に設けたばね部５７は取付基板３２に圧接させたばねで、ズーム連動板４２が衝撃などによって容易に摺動しないように働くフリクションばねとなっている。」（公報、第４頁左欄第２５行〜２８行）。
「上記のように構成したファインダとフラッシュ機構は、カメラのズーミングにしたがってリードスクリュ５８が回転する。すなわち、従来例と同様にして撮影レンズ１５、１８が第１モータ１７の回転駆動に連動されて繰り出されズーミングが行われると、第１モータ１７の駆動力が減速歯車６４、傘歯車６３、６２を介してリードスクリュ５８に伝達される。・・・したがって、リードスクリュウ５８が撮影レンズ１５、１８のズームングにしたがって回転し、駆動片５９をねじ送りする。これにより、駆動片５９が突片部６０aまたは６０bを押動するため、ズーム連動板４２が摺動する。例えば、WIDE位置にある撮影レンズ１５、１８が第１モータ１７によって繰り出されるようにズーミングされれば、駆動片５９が図示する位置から右方向にねじ送りされるため、この駆動片５９が突片部６０bを押動し、ズーム連動板４２が右方向に摺動する。・・・連動ピン４０、４３が連動孔５４、５５に案内されて前方向（図２において上方向）に押し出されるから、変倍用レンズ３４、３５が前進移動する。なお、実際には、変倍用レンズ３４、３５の移動が関数的に行われるように連動孔５４、５５の斜状細孔が定めてある。変倍用レンズ３４、３５の移動はズーミングが終わったとき停止するから、ファインダの像倍率がズーミングされた撮影レンズの焦点距離に対応して定まる。」（公報、第４頁右欄第５行〜２９行）。
「ズーミングの後にフォーカシングが行われる。このときも第１モータ１７の駆動により、リードスクリュ５８が回転して駆動片５９をねじ送りする。ただ、この場合には、駆動片５９が突片部６０a、６０bの間を移動するに留まり、突片部６０a、６０bを押動しない、この結果、フォーカシングではズーム連動板４２が摺動しないから、ファインダ３１の像倍率とフラッシュ機構４５の照射角が変化しない。」（公報、第４頁右欄第４２行〜４９行）。
　なる各記載事項があり、該記載事項と図面の記載からして、次のような発明が記載されている。
　即ち、
「撮影レンズのズーミングのための移動に連動してファインダ光学系の像倍率を変化させると共に、前記撮影レンズの前記移動後のフォーカシングを行う移動に対して前記ファインダ光学系の連動を断ちその像倍率を変化させない連動機構と、前記撮影レンズを１つの方向に前記ファインダ光学系を連動して像倍率を変化させながら移動させた後、前記撮影レンズを所定の方向に移動させて前記ファインダ光学系の連動を断ち像倍率を変化させないようにすると共に被写体の距離に応じたフォーカシングを行わせる駆動機構とを有するズームレンズカメラ。」　
　
　刊行物２には、カメラなどの光学機器において、後群レンズ２を案内するためのインナーカム部４cが、後群レンズ２を光軸方向移動しない焦点調節用のフラットカム部３０，３１，３２，３３と、光軸方向移動するカム部３４，３５，３６とからなる階段状に形成され、フォーカシング動作時には、後群レンズ２が上記フラットカム部に案内され、前群レンズ１が光軸方向へ移動しても後群レンズ２は光軸方向には移動しないようになされ、焦点切換動作時には、後群レンズ２が上記カム部に案内され、前群レンズ１の光軸方向移動に伴い後群レンズ２が共に光軸方向に移動されるようにしたレンズ駆動機構の構成、の発明が記載されている。
　
　刊行物３には、焦点距離の切換と該切換により切り換えられた各焦点距離における焦点調節とのために光軸方向に変位可能である撮影光学系と、倍率を切換可能なファインダ光学系とを有する焦点距離切換式カメラにおいて、撮影光学系の焦点距離切換時にはこれに対応させてファインダ光学系を変倍させると共に、フォーカシング時にはファインダ光学系が動作しないように連係を断つようにした構成、が記載され、また、撮影光学系（主光学系３）の移動位置の検出手段（主光学系側に設けたプリント基板２０上の導体ランド２０a〜２０cと、カメラ本体側の摺動接片２１〜２３）を有し、該撮影光学系の移動位置の検出結果に基づいて該光学系の移動制御（変倍動作及びフォーカシング動作を与えるモータ１２の駆動制御）を行う手段を備えた構成、の発明が記載されている。
　
　刊行物４には、ファインダと撮影レンズのそれぞれの像倍率が可変自在であり、ファインダの倍率の設定操作後、該ファインダの倍率に応じて撮影レンズの像の倍率を決定するようにしたカメラの撮影レンズ移動装置において、撮影レンズの移動位置を検出する手段（ズームリング６の回転量をパルス検出回路１０で検出）を有し、該撮影レンズの移動位置の検出結果に基づいて該レンズの移動制御を行う手段を備えた構成、の発明が記載されている。
　
（５）対比・判断
　本件発明１と刊行物１に記載された発明とを対比すると、刊行物１に記載された発明には、本件発明１を特定する事項である本件発明１の駆動手段が「結像光学系を第１の方向にファインダを連係させて移動させた後、前記結像光学系を第２の方向に移動させて前記ファインダとの連係を断つと共に対象物の距離に応じた焦点調節動作を行わせる（便宜上「特徴的構成１」とする）と共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる（便宜上「特徴的構成２」とする）駆動手段」である構成については記載されておらず、しかも駆動手段のこの構成は該刊行物１に記載された発明から自明のものではなく、また、該発明から容易に導き出すことができるものではない。　即ち、刊行物１に記載された発明の駆動手段（駆動機構）は、上記（４）における既述のように、結像光学系（撮影レンズ）を第１の方向（１つの方向）にファインダ（ファインダ光学系）を連係（連動）させて移動させた後、前記結像光学系（撮影レンズ）を所定の方向に移動させて前記ファインダ（ファインダ光学系）との連係（連動）を断つと共に対象物（被写体）の距離に応じた焦点調節動作（フォーカシング）を行わせる構成を備えるに止まるものであり、本件発明１の駆動手段の備える上記特徴的構成２である「結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる」という構成を備えるものではなく、この構成については何らの示唆すらされてはいないのである。してみれば、上記特徴的構成１，２を併有した本件発明１の駆動手段の上記構成は、刊行物１に記載された発明のものから容易に導き出せるものであるとすることはできない。
　また、例え、上記刊行物１ないし４に記載された発明を組合せても本件発明１の駆動手段の上記構成は容易に導き出せるものではない。
　そして、本件発明１は、駆動手段が上記構成を備えることにより、本件訂正明細書に記載の本件発明１に特有の作用効果を奏するものであるから、本件発明１は、上記刊行物１に記載された発明に基づいて容易に発明をすることができたものではなく、また、上記刊行物１ないし４に記載された発明の組合せを考慮しても上述の判断は何ら変わるものではない。
　
　本件発明２については、該発明の駆動手段がその特定事項として、本件発明１の駆動手段が具備する上記構成を備えるものであるから、本件発明１について述べた上述の理由により上記刊行物に記載された発明に基づいて容易に発明をすることができたものではない。
　
　本件発明３ないし１６については、いずれも上記本件発明１及び又は本件発明２においてさらに構成の付加をなしたものであるから、本件発明１及び２について述べた上述の理由により、上記刊行物に記載された発明に基づいて容易に発明をすることができたものではない。
　
　本件発明１７と刊行物１に記載された発明とを対比すると、刊行物１に記載された発明の駆動手段（駆動機構）は、上述した構成を備えるに止まるものであり、該発明には、本件発明１７を特定する事項である本件発明１７の駆動手段が「結像光学ユニットを案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段」である構成については記載されておらず、しかも、この構成は刊行物１に記載された発明に刊行物２に記載された発明のレンズ駆動機構の構成を適用しても容易に導き出せるものではない。　即ち、刊行物１及び２に記載された発明のいずれにも、本件発明１７の駆動手段の上記構成の特に特徴的な構成である「結像光学ユニットを案内手段の変倍用案内領域及び焦点調節用案内領域に沿って一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う」とした点について記載がないばかりでなく何らの示唆すらなされていないのであるから、この特徴的構成を併有した本件発明１７の駆動手段の上記構成は、刊行物１及び２に記載された発明のものから容易に導き出せるものであるとすることはできない。
　また、例え、上記刊行物１ないし４に記載された発明を組合せても本件発明１７の駆動手段の上記構成は容易に導き出せるものではない。
　そして、本件発明１７は、その駆動手段が上記構成を備えることにより、本件訂正明細書に記載の本件発明に特有の作用効果を奏するものであるから、本件発明１７は、上記刊行物１及び２に記載された発明に基づいて容易に発明をすることができたものではなく、また、上記刊行物１ないし４に記載された発明の組合せを考慮しても上述の判断は何ら変わるものではない。
　
本件発明１８ないし３３については、いずれも本件発明１７においてさらに構成の付加をなしたものであるから、本件発明１７について述べた上述の理由により、上記刊行物に記載された発明に基づいて容易に発明をすることができたものではない。
　
　したがって、本件発明１ないし３３の特許は、いずれも特許法第２９条第２項の規定に違反するものではない。
　
（６）以上のとおりであるから、本件発明１ないし３３の特許、即ち、本件訂正明細書の特許請求の範囲の請求項１ないし３３に係る発明の特許は、異議申立人旭光学工業株式会社の主張した理由及び証拠によっては取り消すことはできない。
　
　また、他に本件訂正明細書の特許請求の範囲の請求項１ないし３３に係る発明の特許を取り消すべき理由を発見しない。
　よって、結論のとおり決定する
【異議決定日】
平成１２年１２月１４日（２０００．１２．１４）
【訂正の要旨】
　訂正の要旨
１、特許請求の範囲の下記の請求項の記載を、その減縮を目的として又はその明瞭でない記載の釈明を目的として以下のように訂正する。
　ア、訂正事項１
　請求項１を次のとおり訂正する。
　「結像光学系の移動と連係してファインダを動作させると共に、前記結像光学系の前記移動後の該移動とは異なる方向への焦点調節動作を行う移動に対して前記ファインダの連係を断つ連係手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有することを特徴とする光学装置。」
　イ、訂正事項２
　請求項２を次のとおり訂正する。
　「結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有することを特徴とする光学装置。」
　ウ、訂正事項３
　訂正前の請求項１４を削除する
　エ、訂正事項４
　訂正前の請求項１５を新たな請求項１４としてを次のとおり訂正する。
　「前記駆動手段は、電動モータを有することを特徴とする請求項１〜１３のいずれかに記載の光学装置。」
　オ、訂正事項５
　訂正前の請求項１６を新たな請求項１５として次のとおり訂正する。
　「前記光学装置は、前記結像光学系の移動位置を判定するための位置判定手段を有し、前記駆動手段は、前記位置判定手段の判定結果にしたがって前記結像光学系の移動を制御するための制御手段を有することを特徴とする請求項１〜１４のいずれかに記載の光学装置。」
　カ、訂正事項６
　訂正前の請求項１７を削除する。
　キ、訂正事項７
　訂正前の請求項１８を削除する。
　ク、訂正事項８
　訂正前の請求項１９を新たな請求項１６として次のとおり訂正する。
　「前記駆動手段は、撮影動作終了後、前記結像光学系を前記ファインダとの連係を断った状態で前記第１の方向の所定位置に移動させることを特徴とする請求項１〜１５のいずれかに記載の光学装置。」
　ケ、訂正事項９
　訂正前の請求項２０を削除する。
　コ、訂正事項１０
　訂正前の請求項２１を削除する。
　サ、訂正事項１１
　訂正前の請求項２２を新たな請求項１７として次のとおり訂正する。
　「変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる案内手段と、前記結像光学ユニットが前記案内手段の変倍用案内領域及び焦点調節用案内領域に沿って一方向に案内されることに連係してファインダを動作させると共に、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダの連係を断つ連係手段と、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段とを有することを特徴とする光学装置。」
　シ、訂正事項１２
　訂正前の請求項２３を新たな請求項１８として次のとおり訂正する。
　「前記連係手段は、前記結像光学ユニットが前記案内手段の変倍用案内領域及び焦点調節用案内領域に沿って一方向に案内されることに連係して前記ファインダを連続的に動作させることを特徴とする請求項１７に記載の光学装置。」
　ス、訂正事項１３
　訂正前の請求項２４を新たな請求項１９として次のとおり訂正する。
　「前記連係手段は、前記結像光学ユニットが前記案内手段の変倍用案内領域及び焦点調節用案内領域に沿って一方向に案内されることに連係して前記ファインダを変倍動作させることを特徴とする請求項１７に記載の光学装置。」
　セ、訂正事項１４
　訂正前の請求項２５を新たな請求項２０として次のとおり訂正する。
　「前記連係手段は、前記結像光学ユニットが前記案内手段の変倍用案内領域及び焦点調節用案内領域に沿って一方向に案内されることに連係して前記ファインダを連続的に変倍動作させることを特徴とする請求項１７に記載の光学装置。」
　ソ、訂正事項１５
　訂正前の請求項２６を新たな請求項２１として次のとおり訂正する。
　「前記連係手段は、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダを変倍動作させない不作動手段を有することを特徴とする請求項１７〜２０のいずれかに記載の光学装置。」
　タ、訂正事項１６
　訂正前の請求項２７を新たな請求項２２として次のとおり訂正する。
　「前記不作動手段は、前記ファインダが動作しないように該ファインダを保持する保持手段を有することを特徴とする請求項２１記載の光学装置。」
　チ、訂正事項１７
　訂正前の請求項２８を新たな請求項２３として次のとおり訂正する。
　「前記保持装置は、前記ファインダが動かないようにフリクシヨンを与えることを特徴とする請求項２２記載の光学装置。」
　ツ、訂正事項１８
　訂正前の請求項２９を削除する。
　テ、訂正事項１９
　訂正前の請求項３０を新たな請求項２４として次のとおり訂正する。
　「前記結像光学ユニットが前記案内手段の変倍用案内領域及び焦点調節用案内領域に沿って一方向に案内される際に所望の倍率設定を行う制御手段を有することを特徴とする請求項１７〜２３のいずれかに記載の光学装置。」
　ト、訂正事項２０
　訂正前の請求項３１を新たな請求項２５として次のとおり訂正する。
　「前記連係手段は、前記ファインダとの連係を断つための空間形成部を有することを特徴とする請求項１７〜２４のいずれかに記載の光学装置。」
　ナ、訂正事項２１
　訂正前の請求項３２を新たな請求項２６として次のとおり訂正する。
　「前記連係手段は、前記結像光学ユニットが前記案内手段の変倍用案内領域及び焦点調節用案内領域に沿って一方向に案内されることに連係して前記ファインダを動作させた後、前記結像光学ユニットが前記案内手段の焦点調節用案内領域に沿って前記一方向とは異なる方向に所定区間案内されることに対して前記ファインダの連係を絶った後、更に前記結像光学ユニットが前記案内手段の焦点調節用案内領域に沿って前記一方向とは異なる方向に案内されることに対して前記前記ファインダを再び連係させることを特徴とする請求項１７〜２５のいずれかに記載の光学装置。」
　ニ、訂正事項２２
　訂正前の請求項３３を削除する。
　ヌ、訂正事項２３
　訂正前の請求項３４を新たな請求項２７として次のとおり訂正する。
　「前記駆動手段は、電動モータを有することを特徴とする請求項１７〜２６のいずれかに記載の光学装置。」
　ネ、訂正事項２４
　訂正前の請求項３５を新たな請求項２８として次のとおり訂正する。
　「前記光学装置は、前記結像光学ユニットの前記案内手段による案内位置を判定するための位置判定手段を有し、前記駆動手段は、前記位置判定手段の判定結果にしたがって前記駆動を制御するための制御手段を有することを特徴とする請求項１７〜２７のいずれかに記載の光学装置。」
　ノ、訂正事項２５
　訂正前の請求項３６を削除する。
　ハ、訂正事項２６
　訂正前の請求項３７を削除する。
　ヒ、訂正事項２７
　訂正前の請求項３８を新たな請求項２９として次のとおり訂正する。
　「前記駆動手段は、撮影動作終了後、前記結像光学ユニットを前記ファインダとの連係を断った状態で前記案内手段の焦点調節用案内領域に沿って前記一方向の所定の位置に駆動することを特徴とする請求項１７〜２８のいずれかに記載の光学装置。」
　フ、訂正事項２８
　訂正前の請求項３９を削除する。
　へ、訂正事項２９
　訂正前の請求項４０を削除する。
　ホ、訂正事項３０
　訂正前の請求項４１を新たな請求項３０として次のとおり訂正する。
　「前記光学装置は、カメラであることを特徴とする請求項１７〜２９のいずれかに記載の光学装置。」
　マ、訂正事項３１
　訂正前の請求項４２を新たな請求項３１として次のとおり訂正する。
　「前記結像光学ユニットは、撮影レンズであることを特徴とする請求項１７〜３０のいずれかに記載の光学装置。」
　ミ、訂正事項３２
　訂正前の請求項４３を新たな請求項３２として次のとおり訂正する。
　「前記光学装置は、前記結像光学ユニットを有することを特徴とする請求項１７〜３１のいずれかに記載の光学装置。」
　ム、訂正事項３３
　訂正前の請求項４４を新たな請求項３３として次のとおり訂正する。
　「前記光学装置は、前記ファインダを有することを特徴とする請求項１７〜３２のいずれかに記載の光学装置。」
２、発明の詳細な説明の欄の下記の部分の記載を、その明瞭でない記載の釈明を目的として以下のように訂正する。
　メ、訂正事項３４
　訂正前の明細書のパラグラフ【００１６】の欄を以下のとおり訂正する。
　「【課題を解決するための手段】つまり、例えば、結像光学系の移動と連係してファインダを動作させると共に、前記結像光学系の前記移動後の該移動とは異なる方向への焦点調節動作を行う移動に対して前記ファインダの連係を断つ連係手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有する光学装置とするものである。また、結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段とを有する光学装置とするものである。」
　モ、訂正事項３５
　訂正前の明細書のパラグラフ【００１７】の欄を以下のとおり訂正する。
　「また、変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる案内手段と、前記結像光学ユニットが前記案内手段の変倍用案内領域及び焦点調節用案内領域に沿って一方向に案内されることに連係してファインダを動作させると共に、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダの連係を断つ連係手段と、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段とを有する光学装置とするものである。」
（５４）【発明の名称】
光学装置
（５７）【特許請求の範囲】
　【請求項１】　結像光学系の移動と連係してファインダを動作させると共に、前記結像光学系の前記移動後の該移動とは異なる方向への焦点調節動作を行う移動に対して前記ファインダの連係を断つ連係手段
と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段と
　【請求項２】　結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と
、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段と
　【請求項３】　前記保持手段は、前記ファインダが動かないようにフリクションを与えることを特徴とする請求項２に記載の光学装置。
　【請求項４】　前記光学装置は、カメラであることを特徴とする請求項１〜３のいずれかに記載の光学装置。
　【請求項５】　前記結像光学系は、撮影光学系であることを特徴とする請求項１〜４のいずれかに記載の光学装置。
　【請求項６】　前記光学装置は、前記結像光学系を有すること特徴とする請求項１〜５のいずれかに記載の光学装置。
　【請求項７】　前記結像光学系は、前記ファインダとの連係が行われる状態で移動する際に変倍動作を行うことを特徴とする請求項６に記載の光学装置。
　【請求項８】　前記結像光学系は、前記ファインダとの連係が行われる状態で移動する際に焦点調節動作及び変倍動作を行うことを特徴とする請求項６に記載の光学装置。
　【請求項９】　前記結像光学系は、前記ファインダとの連係が行われる状態で移動する過程で第１の変倍動作、焦点調節動作、第２の変倍動作を順次行うことを特徴とする請求項６に記載の光学装置。
　【請求項１０】　前記光学装置は、前記ファインダを有すること特徴とする請求項１〜９のいずれかに記載の光学装置。
　【請求項１１】　前記ファインダは、前記結像光学系と連係して動作する際に倍率の変更を行うことを特徴とする請求項１０に記載の光学装置。
　【請求項１２】　前記ファインダは、前記結像光学系と連係して動作する際に連続的に倍率の変更を行うことを特徴とする請求項１０に記載の光学装置。
　【請求項１３】　前記連係手段は、前記結像光学系が前記ファインダとの連係を断つ方向に所定区間移動した後に更に前記結像光学系が同方向に移動することにより前記結像光学系の移動に前記ファインダを連係させることを特徴とする請求項１〜１２のいずれかに記載の光学装置。
　【請求項
１４
項１〜１３のいずれか
　【請求項
１５
１〜１４のいずれか
　【請求項
１６
１５
　【請求項
１７
、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段と
　【請求項
１８
１７
　【請求項
１９
１７
　【請求項
２０
１７
　【請求項
２１
１７〜２０
　【請求項
２２
２１
　【請求項
２３
２２
　【請求項
２４
１７〜２３
　【請求項
２５
１７〜２４
　【請求項
２６
１７〜２５
　【請求項
２７
１７〜２６のいずれか
　【請求項
２８
１７〜２７のいずれか
　【請求項
２９
１７〜２８
　【請求項
３０
１７〜２９
　【請求項
３１
１７〜３０
　【請求項
３２
１７〜３１
　【請求項
３３
１７〜３２
【発明の詳細な説明】
　【０００１】
　【発明の属する技術分野】本発明はカメラ等の光学装置に関し、更に詳細には、変倍動作及び焦点調節動作可能な結像光学系と、該結像光学系の変倍状態に応じて変倍像表示を行うファインダと、を具備しているカメラ等の光学装置に関する。
　【０００２】
　【従来の技術】ファインダ光学系と撮影光学系とが別体に構成されているレンズシャッタカメラにおいて、最近はズームレンズ鏡筒を装備しているものが主流になっている。この形式のカメラは一般にズームカメラと称されており、撮影光学系の変倍動作に連動してファインダ光学系も変倍するように構成されている。
　【０００３】ところで、一般にレンズシャッタカメラは小型且つ軽量でしかも製造コストが安価であることが設計目標として要求されているため、該設計目標を達成するために従来から例えば次のような提案がなされている。
　【０００４】（ａ）特開平５−１７３２２３号公報
撮影光学系の鏡筒の変倍動作に追従するレバーによりファインダ光学系を移動させるもの。
　【０００５】（ｂ）特開平２−２４６１３号公報
１個のモータでフォーカシングとズーミングとを行うもの。
　【０００６】（ｃ）特開昭６４−８４２３３号公報
１個のモータでヘリカルバーを介してフォーカシングとズーミングとを行うもの。
　【０００７】（ｄ）特開昭６１−２５９２３７号公報
互いに向きの異なる複数のフォーカシング用カム溝とズーミング用カム溝とをそれぞれの一端でつなぎ合わせることによってつづれ折り状もしくはジグザグ状の１本のカム溝を形成した１枚のカム板を用い、該カム板によって撮影光学系にフォーカシングとズーミングとを交互に行わせるようにしたもの。
　【０００８】（ｅ）以上の提案のほかに、前記特開昭６１−２５９２３７号公報に開示されたカム板に類似したカム板によりフォーカシング動作とズーミング動作とを交互に行う撮影光学系にファインダ光学系をカムで連動させ、そのカムの作用により撮影光学系がフォーカシング動作する時にはファインダ光学系を静止させ、該撮影光学系が変倍動作する時にはファインダ光学系も該撮影光学系に連動して変倍動作する、という構成を有したカメラが商品化されている。
　【０００９】
　【発明が解決しようとする課題】前述の（ｅ）のカメラでは、例えば撮影光学系をテレ端からワイド端に移動させる時には撮影光学系のカムフォロワーがカムの変倍領域と焦点調節領域とを交互に移動していくのでカムの変倍領域ではファインダ像の大きさが連続的に変化するが、カムの焦点調節領域ではファインダ像の大きさが変化しないため、ファインダ像が間欠的に変倍し、その結果、ファインダを覗いているカメラ使用者に不自然さや違和感を与えるという欠点があった。
　【００１０】本発明の第１の目的は、ファインダを覗いている使用者に不自然さや違和感を与えない光学装置を提供できるようにしようとするものである。
　【００１１】本発明の第２の目的は、結像光学系の対象物の距離に応じた焦点調節動作に際してはファインダを変倍動作させることなく、結像光学系の変倍動作の途中での焦点調節動作に際してはファインダを変倍動作させ、ファインダを覗いている使用者に不自然さや違和感を与えない光学装置を提供できるようにしようとするものである。
　【００１２】本発明の第３の目的は、結像光学系の対象物の距離に応じた焦点調節動作に際してはファインダを変倍動作させることなく、結像光学系の変倍動作の途中での焦点調節動作に際してはファインダを結像光学系の変倍動作及びの焦点調節動作に応じて連続的に変倍動作させ、ファインダを覗いている使用者に不自然さや違和感を与えない光学装置を提供できるようにしようとするものである。
　【００１３】本発明の第４の目的は、変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる光学装置において、対象物の距離に応じた焦点調節動作のために結像光学ユニットが前記焦点調節用案内に案内される際にはファインダを変倍動作させることなく、結像光学ユニットが倍率変更のために前記焦点調節用案内に案内される際にはファインダを変倍動作させ、ファインダを覗いている使用者に不自然さや違和感を与えない光学装置を提供できるようにしようとするものである。
　【００１４】本発明の第５の目的は、上記第１〜４の目的を達成するための装置を簡単で、安価に構成できる光学装置を提供できるようにしょうとするものである。
　【００１５】
　【課題を解決するための手段】以上の目的を達成するために本発明は、特許請求の範囲の各請求項に示される構成の光学装置とするものである。
　【００１６】つまり、例えば、結像光学系の移動と連係してファインダを動作させると共に、前記結像光学系の前記移動後の該移動とは異なる方向への焦点調節動作を行う移動に対して前記ファインダの連係を断つ連係手段
と、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段と
　また、結像光学系の移動と連係してファインダを動作させると共に、前記結像光学系の前記移動後の該移動とは異なる方向への移動に対して前記ファインダの連係を断つ空間形成部を具有する連係手段と、前記ファインダが前記結像光学系との連係を断たれている間に動作しないように該ファインダを保持する保持手段と
、前記結像光学系を第１の方向に前記ファインダを連係させて移動させた後、前記結像光学系を第２の方向に移動させて前記ファインダとの連係を断つと共に対象物の距離に応じた焦点調節動作を行わせると共に、前記結像光学系を前記第２の方向に前記ファインダを連係させて移動させた後、前記結像光学系を前記第１の方向に移動させて前記ファインダとの連係を断ち、更に前記結像光学系を前記ファインダとの連係を断った状態で前記第２の方向に移動させて対象物の距離に応じた焦点調節動作を行わせる駆動手段と
　【００１７】また、変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる案内手段と、前記結像光学ユニットが前記案内手段の変倍用案内領域及び焦点調節用案内領域に沿って一方向に案内されることに連係してファインダを動作させると共に、前記結像光学ユニットが前記案内手段の変倍用案内領域及び焦点調節用案内領域に沿って一方向に案内された後、更に前記案内手段の焦点調節用案内領域に沿って前記一方向とは異なる方向に案内されることに対して前記ファインダの連係を断つ連係手段と
、前記結像光学ユニットを前記案内手段の変倍用案内領域及び焦点調節用案内領域に沿って一方向に駆動した後、更に前記案内手段の焦点調節用案内領域に沿って前記一方向とは異なる方向に駆動して対象物の距離に応じた焦点調節動作を行うと共に、前記結像光学ユニットを前記案内手段の変倍用案内領域及び焦点調節用案内領域に沿って前記一方向とは異なる方向に駆動した後、前記案内手段の焦点調節用案内領域に沿って前記一方向に駆動し、更に前記結像光学ユニットを前記ファインダとの連係を断った状態で前記案内手段の焦点調節用案内領域に沿って前記一方向とは異なる方向に駆動して対象物の距離に応じた焦点調節動作を行う駆動手段と
　【００１８】
　【発明の実施の形態】以下に図を参照して本発明の実施の形態を説明する。なお、以下に示す実施の形態の光学装置はズームカメラであるが、本発明を適用しうる光学装置はズームカメラに限られるものではない。
　【００１９】＜実施の形態１＞図１に本発明の第一の実施の形態を示す。同図において、２は該カメラの撮影光学系の第一群レンズを保持して光軸方向にのみ移動可能な１群レンズ保持筒、３は該カメラの第二群レンズを保持して光軸方向にのみ移動可能な２群レンズ保持筒、４は２群レンズ保持筒３と一体に移動する鏡筒、１はカム溝１Ａ及び１Ｂが形成されていて不図示の機構により矢印ｆまたはｇ方向に移動されるカム板、２ａは１群レンズ保持筒２に固定されるとともに該カム溝１Ｂに相対摺動可能に挿入されているフォロワーピン、３ａは２群レンズ保持筒３に固定されるとともに該カム溝１Ａに相対摺動可能に挿入されているフォロワーピン、４ａは鏡筒４に突設されていて後述のファインダ連係手段のレバー５に係合している連動ピン、５は一端部の孔５ａにおいて固定ピン６（不図示の構造部材に突設されているピン）に嵌装されていて該ピン６を中心として回動可能な第一レバー、７は該ピン６に孔７ｂにおいて回転可能に嵌装されていて該ピン６を中心として回動可能な第二レバー、８は該第二レバー７の上下面を軽く挟みつけることにより該レバー７に制動力を加えて不要な動きを抑制するバネ挟圧部材、９はファインダ光学系の変倍用レンズ保持枠、９ａは該変倍用レンズ保持枠９に突設されていて該第二レバー７の第三カム溝７ｃに挿入されるフォロワーピン、１０は第一レバー５の先端部を鏡筒４のピン４ａに押しつけるバネ、１１はファインダ光学系の対物レンズ、１２は像反転用のプリズム、１３はファインダ光学系の接眼レンズ、である。カム板１に形成されたカム溝１Ａは２群レンズ保持筒３の光軸方向位置決めを行うためのものであり、図示のようにカム板１の移動方向（該カメラの光軸に対して直交する方向）に対して斜めに延在する直線溝となっている。一方、１群レンズ保持筒２の光軸方向位置決めを行うためのカム溝１Ｂは図示のように第一の方向（カム溝１Ａに平行な方向）を向いた短い直線溝部１ｂとが第二の方向（光軸に対する直角方向）を向いた短い直線溝部１ｃとが交互に直列配置された「つづれ折り形状」のように構成されており、該溝部１ｂは該撮影光学系を焦点調節動作させるためのフォーカス用制御カムであり、該溝部１ｃは該撮影光学系を変倍動作させるためのズーム用制御カムとなっている。
　【００２０】また、溝部１ｂの一端の位置１ｄは各溝部１ｂにおける１群レンズ保持筒２のフォロワーピン２ａの焦点調節待機位置（焦点調節動作開始位置）である。
　【００２１】上記構成において、１群レンズ保持筒２のフォロワーピン２ａが溝部１ｂに位置している時にカム板１が矢印ｆ方向に移動されると１群レンズ保持筒２と２群レンズ保持筒３が同量だけ光軸方向前方へ繰り出され、いわゆる全群繰出し方式のフォーカシング動作が行われる。
　【００２２】一方、該フォロワーピン２ａがカム板１の溝部１ｃに位置している時にカム板１が矢印ｆ方向に移動されると１群レンズ保持筒２の光軸方向移動は起こらずに２群レンズ保持筒３のみが光軸方向位置を変化させるため、１群レンズと２群レンズとの間隔が変化して該撮影光学系のズーミングが行われる。
　【００２３】第一レバー５と第二レバー７とは撮影光学系の変倍動作に応じてファインダ光学系を変倍動作させるための連係手段を構成しており、該連係手段は第一レバー５と第二レバー７とを連動させないための以下のような非連係手段も有している。
　【００２４】本実施の形態では、該非連係手段は第一レバー５に突設されているピン５ｂと、第二レバー７に形成された長方形の角穴（もしくは長方形の凹部）７ａと、で構成されており、該角穴７ａの長辺の長さは第一レバー５と第二レバー７との間に以下のような動きを生じさせるように決定されている。
　【００２５】図２は撮影光学系が変倍動作及び焦点調節動作する時の第一レバー５のピン５ｂと第二レバー７の角穴７ａとの相対的位置関係を説明するための図である。
　【００２６】なお、本実施の形態の構成では、撮影光学系にフォーカシング動作をさせる時には常に撮影光学系が各倍率に応じた焦点調節待機位置１ｄから繰り込み方向（図２において下側方向）へ移動することによって行われる。
　【００２７】図２の左に示されている（ａ）の図において、太い矢印は撮影光学系のフォーカシング動作を示し、細い矢印は撮影光学系を短焦点距離側（ワイド側）へ変倍移動させる時のピン５ｂの動きを表したものである。
　【００２８】撮影光学系をワイド側へ変倍移動させる場合、図１のカム板１は矢印方向（すなわち撮影光学系を繰り込む方向）へ移動し、１群レンズ保持筒２はフォロワーピン２ａがカム溝１ｂの区間では光軸に沿って後方側へ移動し、光軸と直角なカム溝１ｃの区間では移動しない。
　【００２９】一方、２群レンズ保持筒３のフォロワーピン３ａはカム溝１Ａに入っているので常にレンズ繰り込み方向（すなわち後方。図１において右側）へ移動し、２群レンズ保持筒３と一体の鏡筒４もレンズ繰り込み方向に移動するのでピン４ａとレバー５のピン５ｂも連続的に後方へ移動する。
　【００３０】図２の（ａ）において、ワイドポジションに向かって撮影光学系の変倍動作が開始されると、ピン５ｂは長穴７ａの先端位置から後端位置へ向かって移動し、ピン５ｂが長穴７ａの後端縁に当接するまでの極く短い期間は第二レバー７が該ピン５ｂにより駆動されないのでファインダ光学系の変倍レンズ保持枠９は移動せず、従ってファインダ光学系の変倍動作は生じない。
　【００３１】ピン５ｂが長穴７ａの後端縁に当接した後、更に長穴７ａの後端縁を押してワイドポジション相当位置まで後方側へ移動していく間、ピン５ｂが長穴７ａの後端縁を後方側へ連続的に押し続け、その間に押した量相当する角度だけ第二レバー７が孔７ｂを中心として図１のおいて反時計方向に回動され、その結果、ファインダ光学系の変倍レンズ保持枠９が光軸方向に移動されてファインダの像倍率が撮影光学系の倍率変化に応じて連続的にワイド側へ変化する。その後、１群レンズ保持筒２のフォロワーピン２ａがカム溝１ｃのワイドポジションに至り更に焦点調節分カム溝１ｃの終端位置近くまで移動すると、カム板１の移動方向が逆転されて２群レンズ保持筒３と鏡筒４とがテレ側に繰り出される。その際、第二レバー７はバネ挟圧部材８により挟みつけられていて軽い制動力が加えられているため動かないので、ピン５ｂは角穴７ａの後端縁から離れて該穴７ａの前端付近まで移動する。そして、ピン５ｂが角穴７ａの前端縁近くまで移動した時にフォロワーピン２ａがカム板１の溝部１ｂの焦点調節待機位置１ｄに到り、同時にカム板１の移動が停止し、これによりワイド状態への倍率設定動作が完了する。
　【００３２】なお、その後、このワイド状態でのフォーカシング動作においてはカム板１が図２の太い矢印の方向に再度移動するが、この場合にはピン５ｂが長穴７ａの内側の範囲内で後方側へ動くだけでピン５ｂが長穴７ａの後端縁を押すことはないため、第一レバー５が回動しても第二レバー７が回動されることはない。従って、フォーカシング動作時にはファインダの変倍動作は生じない。
　【００３３】図２の中央の（ｂ）は撮影光学系をミドルポジション（中焦点距離）▲１▼及び▲２▼へ変倍移動させる時のピン５ｂの動きを表したものである。
　【００３４】撮影光学系をワイド側からミドルポジション（中焦点距離）に移動させる場合には細い直線矢印で示すようにピン５ｂが角穴７ａの前端縁を押して第二レバー７を回動させることによりファインダの像倍率を連続的に変化させ、フォロワーピン２ａがカム板１の溝部１ｂの焦点調節待機位置１ｄまで移動してそこで停止する。
　【００３５】その後、このミドルポジションでのフォーカシング動作時には、前述したワイド状態でのフォーカシング動作と同じように、ピン５ｂが長穴７ａの内側の範囲内で後方へ動くだけで第二レバー７は動かず、従ってファインダの変倍動作は行われない。
　【００３６】また、撮影光学系をテレ側からミドルポジションに移動させる場合には前述のワイドポジションヘの移動と同様に、ピン５ｂが長穴７ａの後端縁を押してレバー７を回動させることによりファインダの像倍率を連続的に変化させた後、フォーカス分だけテレ側に戻ってミドルポジションの焦点調節待機位置に来る。この場合も前記と同様に、ピン５ｂの移動方向が反転した時には該レバー７がバネ挟圧部材８で軽い制動力を加えられているためレバー７はピン５ｂの前進運動には追従しない。そして、その後に前記と同様のフォーカシング動作が行われるが、その時にはファインダは変化しない。
　【００３７】図２の右側の図（ｃ）は撮影光学系をテレポジション（長焦点距離）へ変倍移動させる時のピン５ｂの動きを表したものである。
　【００３８】テレポジションへ移動させる時には必ずワイド側からレンズが移動されるので、ピン５ｂは図示の位置から長穴７ａの前端縁を押して前方側へ移動し、従ってファインダの像倍率が連続的に変化し、撮影光学系がテレポジションになった時にはフォロワーピン２ａがカム板１の溝部１ｂの焦点調節待機位置１ｄにおいて停止する。その後、このテレ状態でのフォーカシング動作時には前記と同様にピン５ｂがレバー７の長穴７ａの内側の範囲内で後方に動くだけでレバー７は動かず、従ってファインダは停止したままとなる。
　【００３９】以上に説明したように、本実施の形態の構成では、撮影光学系を変倍動作させた時にファインダが連続的に変倍動作し、撮影光学系が焦点調節動作した時にはファインダは動作しないので、ファインダを注視しているカメラ使用者に違和感や不自然さを与える恐れがなくなる。
　【００４０】なお、本実施の形態では、フォーカシング動作は、鏡筒の繰り込み方向として説明したが、フォーカシング動作は鏡筒の繰出し方向であってもよいことは当然であり、その場合には前記説明における動作方向はすべて逆となる。
　【００４１】図３は本実施の形態のカメラの制御系の構成の一部を示す概略図である。
　【００４２】同図において、１００は該カメラの制御手段としてのマイクロコンピュータ（マイコン）、１０１はカム板１を駆動するためのモータ、１０２は該モータ１０１を駆動するためのモータ駆動回路、１０３は該カメラに搭載された公知の測距回路（測距センサ等を含む）、１０４はカム板１の移動位置を検出するための位置検出器、１０５は該カメラに設けられている公知のズームスイッチ、１０６は該カメラに設けられているシャッターレリーズ部材によりオンする公知のレリーズスイッチ、１０６は撮影動作を行う為の公知の撮影回路（測光センサ、シャッタ等を含む）、である。
　【００４３】図４はマイコン１００によって実行される制御動作のフローチャートであり、以下には図３及び図４を参照しつつ該カメラの機能及び制御動作を説明する。
　【００４４】（ステップ＃１）ズームスイッチ１０５がオンであるか否かを検知し、オンであればステップ＃２に進み、オンでなければステップ＃１を繰り返す。
　【００４５】（ステップ＃２）ズームスイッチ１０５がテレ側に操作されているか否かを検知し、テレ側に操作されていればステップ＃３に進み、テレ側に操作されていなければワイド側に操作されているということでステップ＃１８に進む。
　【００４６】（ステップ＃３）位置検出器１０４によりカム板１が既にテレポジションの焦点調節待機位置１ｄにあるか否かを判定し、テレポジションの焦点調節待機位置１ｄにあればステップ＃９に進み、そうでなければステップ＃４に進む。
　【００４７】（ステップ＃４）モータ駆動回路１０２を介してモータ１０１を正転させる（カム板１を図１で矢印ｆ方向に移動させる）ことにより撮影光学系を繰出し方向に移動させる。
　【００４８】（ステップ＃５）ズームスイッチ１０５がオフになっているか否かを検知し、オフになっていたらステップ＃６に進み、オフでなければステップ＃７に進む。
　【００４９】（ステップ＃６）位置検出器１０４によりカム板１のカム溝１ｂの焦点調節待機位置１ｄに１群レンズ保持筒２のフォロワーピン２ａが到達したことを検出したらステップ＃８に進む。
　【００５０】（ステップ＃７）位置検出器１０４によりカム板１がテレポジションの焦点調節待機位置に到ったか否かを判定し、テレポジションの焦点調節待機位置に到ったと判定された場合はステップ＃８に進み、該位置に到っていなければステップ＃５に戻る。
　【００５１】（ステップ＃８）モータ１０１を停止させ、ステップ＃９に進む。
　【００５２】（ステップ＃９）レリーズスイッチ１０６がオンになっているか否かを検知し、オンになっていたらステップ＃１０に進む。
　【００５３】（ステップ＃１０）測距回路１０３に測距を行わせる。
　【００５４】（ステップ＃１１）モータ駆動回路１０２によりモータ１０１を逆転し、カム板１を矢印ｇ方向（撮影光学系を繰り込む方向）に移動させる。
　【００５５】（ステップ＃１２）位置検出器１０４の出力により、カム板１が測距回路１０３の出力に応じた位置に到ったことが判定されたらステップ＃１３に進む。
　【００５６】（ステップ＃１３）モータ１０１を停止させ、ステップ＃１９に進む。
　【００５７】（ステップ＃１４）撮影回路１０５により撮影動作を行い、撮影動作が終了すると、ステップ＃１５へ進む。
　【００５８】（ステップ＃１５）モータ駆動回路１０２を介してモータ１０１を正転させ、カム板１を矢印ｆ方向に戻す。
　【００５９】（ステップ＃１６）位置検出器１０４によりカム板１がステップ＃１１で移動する前の焦点調節待機位置に到ったことを検出するとステップ＃１７に進む。
　【００６０】（ステップ＃１７）モータ１０１を停止させ、ステップ＃１に戻る。
　【００６１】（ステップ＃１８）位置検出器１０４によりカム板１が既にワイドポジションの焦点調節待機位置１ｄにあるか否かを判定し、ワイドポジションの焦点調節待機位置１ｄにあればステップ＃９に進み、そうでなければステップ＃１９に進む。
　【００６２】（ステップ＃１９）モータ駆動回路１０２を介してモータ１０１を逆転させる（カム板１を図１で矢印ｇ方向に移動させる）ことにより撮影光学系を繰り込み方向に移動させる。
　【００６３】（ステップ＃２０）ズームスイッチ１０５がオフになっているか否かを検知し、オフになっていたらステップ＃２１に進み、オフでなければステップ＃２５に進む。
　【００６４】（ステップ＃２１）位置検出器１０４の出力によりカム板１のカム溝１ｂの焦点調節待機位置１ｄに１群レンズ保持筒２のフォロワーピン２ａが到達し、更に焦点調節分移動したことを検出したらステップ＃２３に進む。
　【００６５】（ステップ＃２２）位置検出器１０４によりカム板１がワイドポジションの焦点調節待機位置に到り、更に焦点調節分移動したか否かを判定し、焦点調節分移動したと判定された場合はステップ＃２３に進み、移動していなければステップ＃２０に戻る。
　【００６６】（ステップ＃２３）モータ１０１を正転し、カム板１を矢印ｆ方向（撮影光学系を繰り出す方向）に移動させる。
　【００６７】（ステップ＃２４）位置検出器１０４の出力によりカム板１のカム溝１ｂの焦点調節待機位置１ｄに１群レンズ保持筒２のフォロワーピン２ａが到達したことを検出したらステップ＃２５に進む。
　【００６８】（ステップ＃２５）モータ１０１を停止させ、ステップ＃９に戻る。
　【００６９】以後は前記と同様にステップ＃９乃至ステップ＃１７の動作へ移行する。
　【００７０】以上の動作により第一レバー５のピン５ｂが図２に示すように移動する。
　【００７１】＜実施の形態２＞図３に本発明の第二の実施の形態の構成を示す。本実施の形態では撮影光学系とファインダとの連係手段として、レバーの代わりに歯車機構を用いた構成となっている点が第一の実施の形態と異なっている。以下には第一の実施の形態と同一の構成には同一の符号を付し、第一の実施の形態と異なっている構成についてのみ説明する。
　【００７２】１群レンズ保持筒２と一体になって動く鏡筒２４には光軸と平行に延在するラック２４ａが固定されており、ラック２４ａと噛み合う歯車２５が不図示の構造部材に固定位置にて回転のみ可能に支持されている。歯車２５の片面の外周縁近傍には該歯車の軸と平行なピン２５ａが突設されており、歯車２５に隣接するとともに歯車２５と同軸線上に分離配置されている歯車２６には該ピン２５ａが挿入される円弧状の溝２６ａが形成されている。溝２６ａの円周方向長さは第一実施の形態のレバー７の角穴７ａの長辺の長さと同じように撮影光学系の光軸方向移動がファインダに伝達されぬように所定の長さとなっている。
　【００７３】歯車２６と噛み合う歯車２７は方向変換機構２８の一方の傘歯車２９と同じ軸３０に固定され、該方向変換機構２８の他方の傘歯車３１はカム板３４の駆動歯車３３と同じ軸３２に固定されている。該駆動歯車３３はカム板３４に形成されているラック３４ｂと噛み合っており、該歯車３３が回転されることによってカム板３４は光軸に対して直角方向に移動されるようになっている。カム板３３４にはファインダの変倍レンズ保持枠９の位置制御用カム溝３４ａが形成され、該カム溝３４ａにはファインダの変倍レンズ保持枠９のフォロワーピン９ａが相対摺動可能に挿入されている。カム板３４は該歯車３３から駆動される時だけ移動されるように、板バネ状の摩擦部材３５が圧接されている。
　【００７４】本実施の形態においても撮影光学系とファインダとの連係手段の機能は第一実施の形態のそれと同じである。すなわち、１群レンズ保持筒２と２群レンズ保持筒３とがカム板１のカム溝１Ａ及び１Ｂによってフォーカシング移動される時には歯車２５の回転は歯車２６に伝達されない。また、１群レンズ保持筒２と２群レンズ保持筒３がたとえばワイドポジションに移動する時には図２で説明した動作がファインダに生じ、従って、ファインダ表示像が連続的に変化する。
　【００７５】なお、ピン２５ａと溝２６ａとの組み合わせのような機能を持つ連係手段を独立の部材に構成してあってもよいことは当然である。
　【００７６】（発明と実施の形態との対応）以上の実施の形態において、第一レバー５、固定ピン６、第二レバー７、歯車２５、２６、２７、３３、方向変換機２８、傘歯車２９、３１、じく３０、カム板３４が本発明の連係手段に、カム板１、１群レンズ保持筒２、２群レンズ保持筒３、鏡筒４、２４が本発明の結像光学系又は、撮影光学系に、変倍レンズ保持枠９、ファインダ対物レンズ１１、プリズム１２、ファインダ接眼レンズ１３が本発明のファインダに、角穴７ａ、溝２６ａが本発明の空間形成部に、バネ挟圧部材８、摩擦部材３５が本発明の保持手段に、マイコン１００、モータ１０１、モータ駆動回路１０２が本発明の駆動手段に、モータ１０１が本発明の電動モータに、マイコン１００が本発明の制御手段に、位置検出器１０４が本発明の位置判定手段に、カム板１が本発明の案内手段に、１群レンズ保持筒２又は、２群レンズ保持筒３が本発明の結像光学ユニットに、それぞれ相当する。
　【００７７】以上が実施の形態の各構成と本発明の各構成との対応関係であるが、本発明はこれらの実施の形態の構成に限られるものではなく、請求項で示した機能又は実施の形態の構成が持つ機能が達成できる構成であればどのようなものであってもよいことは言うまでもない。
　【００７８】たとえば、以上の実施の形態では、焦点調節動作が常に焦点調節用待機位置から開始するようにしているが、途中の位置から開始するようにしてもよい。また、撮影光学系の変倍及び焦点調節動作は以上の実施の形態に示されるようなカム構成により行われるものに限らず、どのようなものであっても本発明が適用できることは言うまでもない。
　【００７９】また、本発明は請求項または実施の形態の構成の全体もしくは一部がひとつの装置を形成するようなものであっても、他の装置と結合するようなものであっても、装置を構成する要素のようなものであってもよい。
　【００８０】本発明は、一眼レフカメラ、レンズシャッターカメラ、ビデオカメラ、等の種々の形態のカメラ、更にはカメラ以外に光学機器やその他の装置、更にはそれらカメラや光学機器やその他の装置に適用される装置、または、これらを構成する要素に対しても適用できるものである。
　【００８１】
　【発明の効果】以上説明したように本発明によれば、ファインダを覗いている使用者に不自然さや違和感を与えない光学装置が提供できるものである。
　【００８２】また、本発明によれば、結像光学系の対象物の距離に応じた焦点調節動作に際してはファインダを変倍動作させることなく、結像光学系の変倍動作の途中での焦点調節動作に際してはファインダを変倍動作させ、ファインダを覗いている使用者に不自然さや違和感を与えない光学装置が提供できるものである。
　【００８３】また、本発明によれば、結像光学系の対象物の距離に応じた焦点調節動作に際してはファインダを変倍動作させることなく、結像光学系の変倍動作の途中での焦点調節動作に際してはファインダを結像光学系の変倍動作及びの焦点調節動作に応じて連続的に変倍動作させ、ファインダを覗いている使用者に不自然さや違和感を与えない光学装置が提供できるものである。
　【００８４】また、本発明によれば、変倍用案内領域と焦点調節用案内領域とを交互に備え、該変倍用案内領域と焦点調節用案内領域とに沿って結像光学ユニットを案内することにより前記結像光学ユニットに変倍動作と焦点調節動作を行わせる光学装置において、対象物の距離に応じた焦点調節動作のために結像光学ユニットが前記焦点調節用案内に案内される際にはファインダを変倍動作させることなく、結像光学ユニットが倍率変更のために前記焦点調節用案内に案内される際にはファインダを変倍動作させ、ファインダを覗いている使用者に不自然さや違和感を与えない光学装置が提供できるものである。
　【００８５】更に本発明によれば、上記の装置を簡単で、安価に構成できるものである。
【図面の簡単な説明】
　【図１】本発明の第一の実施の形態の光学装置の一部の機械的構造部分の分解斜視図。
　【図２】図１の光学装置の結像光学系（撮影光学系）に連動するレバー５のピン５ｂと第二レバー７の穴７ａとの相対的位置関係を説明するための図で、（ａ）は該結像光学系がワイドポジションに移動する場合を示し、（ｂ）はミドルポジションに移動する場合を示し、（ｃ）はテレポジションに移動する場合を示している。
　【図３】図１の光学装置の電気的制御系の一部の構成を示す概略図。
　【図４】図３に示されるマイコン１００のフローチャート。
　【図５】本発明の第二実施の形態の光学装置の一部の機械的構造部分の分解斜視図。
　【符号の説明】
１　　カム板
２　　１群レンズ保持筒
３　　２群レンズ保持筒
４、２４　　鏡筒
５　　第一レバー
６　　固定ピン
７　　第二レバー
７ａ　　角穴
８　　バネ挟圧部材
９　　変倍レンズ保持枠
１Ａ、１Ｂ、７ｃ　　カム溝
１ｂ　　焦点調節用溝部
１ｃ　　変倍用溝部
２ａ、３ａ、９ａ　　フォロワーピン
１１　　ファインダ対物レンズ
１２　　プリズム
１３　　ファインダ接眼レンズ
２４ａ　　ラック
２５、２６、２７、３３　　歯車
２６ａ　　溝
２８　　方向変換機構
２９、３１　　傘歯車
３０　　軸
３４　　カム板
３４ａ　　カム溝
３４ｂ　　ラック
３５　　摩擦部材
１００　　マイコン
１０１　　モータ
１０２　　モータ駆動回路
１０４　　位置検出器